(57)【要約】【課題】持ち運ばれるときに、ダストボックスに溜めた塵埃がその開口から流出しない可能性を高めることができる投写型映像表示装置を提供する。【解決手段】プロジェクタ１は、エアフィルタ３４が設けられる筐体１０と、エアフィルタ３４を掃除するブラシ４５と、ブラシ４５に向けて開口してブラシ４５に付着した塵埃を溜めるダストボックス５とを備え、筐体１０にハンドル１１が設けられる投写型映像表示装置である。ハンドル１１は、ハンドル１１を把持して筐体１０を持ち上げたときにダストボックス５の開口５ａが上方に向けられるように設けられている。【選択図】図１１
2011257550.tif 000002
【特許請求の範囲】
【請求項１】
エアフィルタが設けられる筐体と、前記エアフィルタを掃除するブラシと、前記ブラシに向けて開口して前記ブラシに付着した塵埃を溜めるダストボックスとを備え、前記筐体にハンドルが設けられる投写型映像表示装置であって、
前記ハンドルは、このハンドルを把持して前記筐体を持ち上げたときに前記ダストボックスの開口が上方に向けられるように設けられている
ことを特徴とする投写型映像表示装置。
【請求項２】
前記筐体は複数の側面を有し、複数の前記側面のうち、いずれか１つの側面のみに前記ハンドルが設けられている
ことを特徴とする請求項１に記載の投写型映像表示装置。
【請求項３】
前記ハンドルは、前記ダストボックスが開口する方向に対して垂直な方向に延びて設けられた把持部により構成され、前記把持部が、前記ダストボックスが開口する方向に設けられる
ことを特徴とする請求項１または２に記載の投写型映像表示装置。
【請求項４】
前記ハンドルが複数設けられていることを特徴とする請求項１〜３のいずれか一項に記載の投写型映像表示装置。
【請求項５】
エアフィルタが設けられる筐体と、前記エアフィルタを掃除するブラシと、前記ブラシに向けて開口して前記ブラシに付着した塵埃を溜めるダストボックスとを備え、前記筐体にハンドルが設けられる投写型映像表示装置であって、
前記ハンドルが前記筐体に複数設けられ、
複数の前記ハンドルのうち所定のハンドルは、このハンドルを把持して前記筐体を持ち上げたときに前記ダストボックスの開口が上方に向けられるように設けられ、
複数の前記ハンドルのうち前記所定のハンドルが、他のハンドルに比べて優先して把持されるべきであることの指標となる指標部を有する
ことを特徴とする投写型映像表示装置。
【請求項６】
光軸を中心として映像の光を投射する投射レンズを備え、
前記筐体は複数の側面を有し、前記所定のハンドルが、複数の前記側面のうち所定の側面に設けられるとともに、他のハンドルが他の側面に設けられ、
前記所定の側面から前記他の側面までの距離を二等分する前記筐体の中心線に対して、優先して把持すべき前記所定のハンドル側に前記光軸を偏心させて設けられた前記投射レンズにより、前記指標部が構成されている
ことを特徴とする請求項５に記載の投写型映像表示装置。
【請求項７】
エアフィルタが設けられる筐体と、前記エアフィルタを掃除するブラシと、前記ブラシに向けて開口して前記ブラシに付着した塵埃を溜めるダストボックスとを備え、前記筐体にハンドルが設けられる投写型映像表示装置であって、
前記ハンドルが前記筐体に複数設けられ、
複数の前記ハンドルのうち、所定のハンドルは、このハンドルを把持して前記筐体を持ち上げたときに前記ダストボックスの開口が上方に向けられるように設けられるとともに、他のハンドルは、このハンドルを把持して前記筐体を持ち上げたときに前記ダストボックスの開口が下方に向けられるように設けられ、
複数の前記ハンドルのうち前記他のハンドルに比べて前記所定のハンドルの近くに重心を有する
ことを特徴とする投写型映像表示装置。
【請求項８】
光軸を中心として映像の光を投射する投射レンズを備え、
前記筐体は複数の側面を有し、前記所定のハンドルが、複数の前記側面のうち所定の側面に設けられるとともに、他のハンドルが他の側面に設けられ、
前記所定の側面から前記他の側面までの距離を二等分する前記筐体の中心線に対して、前記所定のハンドル側に前記光軸を偏心させて前記投射レンズが設けられている
ことを特徴とする請求項７に記載の投写型映像表示装置。
【請求項９】
前記ダストボックスが開口する方向に平行な方向において、前記重心と前記所定のハンドルとが一直線上に位置することを特徴とする請求項７または８に記載の投写型映像表示装置。
【請求項１０】
前記所定のハンドルが複数設けられていることを特徴とする請求項５〜９のいずれか一項に記載の投写型映像表示装置。
【請求項１１】
前記筐体を持ち上げたときに前記ダストボックスの開口が上方に向けられるように設けられている前記ハンドルは、前記ダストボックスが開口している方向に位置することを特徴とする請求項１〜１０のいずれか一項に記載の投写型映像表示装置。
【発明の詳細な説明】
【技術分野】
【０００１】
本願発明は、筐体にハンドルが設けられた投写型映像表示装置に関する。
【背景技術】
【０００２】
上記投写型映像表示装置として、ハンドルを備えたプロジェクタが開示されている（例えば、特許文献１及び２参照）。プロジェクタの筐体にハンドルが設けられていれば、そのハンドルを把持して、プロジェクタを容易に持ち運ぶことができる。
【０００３】
また、一般的に、プロジェクタの筐体に、筐体の内部へ流入しようとする空気中の塵埃を捕捉するためのエアフィルタが設けられることが知られている。また、所定の直線方向に移動してエアフィルタを掃除するブラシを備えたプロジェクタが開示されている（例えば、特許文献３及び４参照）。
【先行技術文献】
【特許文献】
【０００４】
【特許文献１】特開２００２−１０７８１６号公報
【特許文献２】特開２０１０−２００５９号公報
【特許文献３】特開２００７−１５６１８６号公報
【特許文献４】特開２００８−６５０２１号公報
【発明の概要】
【発明が解決しようとする課題】
【０００５】
ところで、エアフィルタが掃除されることによってブラシに付着した塵埃は、ブラシの掃除能力が低下しないように、ブラシから除去されることが好ましい。さらに、ブラシから除去された塵埃は、筐体の内部へ再度流入しようとしないように、ダストボックスに溜められることが好ましい。即ち、エアフィルタを掃除するブラシを備えたプロジェクタにおいて、エアフィルタの掃除効率を高めるためには、ブラシに向けて開口してブラシに付着した塵埃を溜めるダストボックスを備えるように構成することが好ましい。
【０００６】
しかしながら、プロジェクタを持ち運ぶときに、ダストボックスの開口が下方に向けられたときには、ダストボックスに溜めた塵埃がその開口から流出するという問題がある。筐体にハンドルが設けられているときには、そのハンドルを用いてプロジェクタが持ち運ばれることが期待され、ハンドルが設けられている態様によっては、ダストボックスの開口が下方に向けられる可能性が高い。
【０００７】
本発明は、こうした実情に鑑みてなされたものであり、その目的は、持ち運ばれるときに、ダストボックスに溜めた塵埃がその開口から流出しない可能性を高めることができる投写型映像表示装置を提供することにある。
【課題を解決するための手段】
【０００８】
以下、上記目的を達成するための手段及びその作用効果について記載する。
請求項１に記載の発明は、エアフィルタが設けられる筐体と、エアフィルタを掃除するブラシと、ブラシに向けて開口してブラシに付着した塵埃を溜めるダストボックスとを備え、筐体にハンドルが設けられる投写型映像表示装置であって、ハンドルは、このハンドルを把持して筐体を持ち上げたときにダストボックスの開口が上方に向けられるように設けられていることを特徴とする。
【０００９】
上記構成によれば、筐体に設けられるハンドルは、このハンドルを把持して筐体を持ち上げたときに、ブラシに付着した塵埃を溜めるダストボックスの開口が上方に向けられるように設けられている。このため、投写型映像表示装置を持ち運ぶ際に、このハンドルを把持して筐体を持ち上げることにより、ハンドルを用いてダストボックスの開口を上方に向けた状態で投写型映像表示装置を持ち運ぶことができる。従って、投写型映像表示装置が持ち運ばれるときに、ダストボックスに溜めた塵埃がその開口から流出しない可能性を高めることができる。
【００１０】
請求項２に記載の発明は、請求項１に記載の投写型映像表示装置であって、筐体は複数の側面を有し、複数の側面のうち、いずれか１つの側面のみにハンドルが設けられていることを特徴とする。
【００１１】
上記構成によれば、筐体が有する複数の側面のうち、いずれか１つの側面のみにハンドルが設けられている。筐体を持ち上げたときにダストボックスの開口が上方に向けられるように設けられているハンドル以外にも他のハンドルが筐体に設けられている場合には、筐体を持ち上げたときにダストボックスの開口を上方に向けるために把持すべきハンドルを認識しにくい。従って、筐体が有する複数の側面のうち、いずれか１つの側面のみにハンドルが設けられていることにより、複数の側面のうち２つ以上の側面にハンドルが設けられている場合に比べて、ダストボックスの開口を下方に向けて筐体が持ち上げられる可能性を低減することができる。
【００１２】
請求項３に記載の発明は、請求項１または２に記載の投写型映像表示装置であって、ハンドルは、ダストボックスが開口する方向に対して垂直な方向に延びて設けられた把持部により構成され、把持部が、ダストボックスが開口する方向に設けられることを特徴とする。
【００１３】
上記構成によれば、ハンドルは、ダストボックスが開口する方向に対して垂直な方向に延びて設けられた把持部により構成され、把持部が、ダストボックスが開口する方向に設けられる。このため、把持部が水平方向に延びるようにハンドルを把持しながら、ダストボックスよりも把持部が上方となるように筐体を持ち上げることにより、ダストボックスの開口を上方に向けた状態で投写型映像表示装置を持ち運ぶことができる。
【００１４】
請求項４に記載の発明は、請求項１〜３のいずれか一項に記載の投写型映像表示装置であって、ハンドルが複数設けられていることを特徴とする。
上記構成によれば、１つの側面にハンドルが１つのみ設けられている場合に比べて、筐体を持ち上げるときの利便性の向上を図ることができる。
【００１５】
請求項５に記載の発明は、エアフィルタが設けられる筐体と、エアフィルタを掃除するブラシと、ブラシに向けて開口してブラシに付着した塵埃を溜めるダストボックスとを備え、筐体にハンドルが設けられる投写型映像表示装置であって、ハンドルが筐体に複数設けられ、複数のハンドルのうち所定のハンドルは、このハンドルを把持して筐体を持ち上げたときにダストボックスの開口が上方に向けられるように設けられ、複数のハンドルのうち所定のハンドルが、他のハンドルに比べて優先して把持されるべきであることの指標となる指標部を有することを特徴とする。
【００１６】
上記構成によれば、筐体に設けられる所定のハンドルは、このハンドルを把持して筐体を持ち上げたときに、ブラシに付着した塵埃を溜めるダストボックスの開口が上方に向けられるように設けられている。このため、投写型映像表示装置を持ち運ぶ際に、この所定のハンドルを把持して筐体を持ち上げることにより、ダストボックスの開口を上方に向けた状態で投写型映像表示装置を持ち運ぶことができる。また、ハンドルが筐体に複数設けられているため、１つのハンドルのみが筐体に設けられている場合に比べて、例えば２人で投写型映像表示装置を持ち運ぶ際の利便性の向上を図ることができる。また、投写型映像表示装置は、複数のハンドルのうち、筐体を持ち上げたときにダストボックスの開口が上方に向けられるように設けられている所定のハンドルが、他のハンドルに比べて優先して把持されるべきであることの指標となる指標部を有している。このため、筐体を持ち上げたときにダストボックスの開口を上方に向けるために把持すべきハンドルを認識しにくい場合であっても、指標部を参照して筐体を持ち上げることにより、ダストボックスの開口を上方に向けた状態で投写型映像表示装置を持ち運ぶことができる。従って、投写型映像表示装置が持ち運ばれるときに、ダストボックスに溜めた塵埃がその開口から流出しない可能性を高めることができる。
【００１７】
請求項６に記載の発明は、請求項５に記載の投写型映像表示装置であって、光軸を中心として映像の光を投射する投射レンズを備え、筐体は複数の側面を有し、所定のハンドルが、複数の側面のうち所定の側面に設けられるとともに、他のハンドルが他の側面に設けられ、所定の側面から他の側面までの距離を二等分する筐体の中心線に対して、優先して把持すべき所定のハンドル側に光軸を偏心させて設けられた投射レンズにより、指標部が構成されていることを特徴とする。
【００１８】
上記構成によれば、筐体の中心線に対して、複数のハンドルのうち他のハンドルに比べて優先して把持すべき上記所定のハンドル側に光軸を偏心させて設けられた投射レンズにより、上記指標部が構成されている。筐体の中心線に対して光軸が偏心するように投射レンズが設けられている場合には、投写型映像表示装置を持ち運ぶ者が、その重心も筐体の中心線から上記所定のハンドル側に偏心しているものと予想する可能性が高い。持ち運ばれるときに発生する投写型映像表示装置の揺れを抑制するためには、把持されるハンドルと投写型映像表示装置の重心が近いことが好ましいため、投写型映像表示装置を持ち運ぶ者によって、上記所定のハンドルが把持されて筐体が持ち上げられることが期待される。従って、上記構成によれば、投射レンズの配置態様をもって上記指標部を構成することができる。
【００１９】
請求項７に記載の発明は、エアフィルタが設けられる筐体と、エアフィルタを掃除するブラシと、ブラシに向けて開口してブラシに付着した塵埃を溜めるダストボックスとを備え、筐体にハンドルが設けられる投写型映像表示装置であって、ハンドルが筐体に複数設けられ、複数のハンドルのうち、所定のハンドルは、このハンドルを把持して筐体を持ち上げたときにダストボックスの開口が上方に向けられるように設けられるとともに、他のハンドルは、このハンドルを把持して筐体を持ち上げたときにダストボックスの開口が下方に向けられるように設けられ、複数のハンドルのうち他のハンドルに比べて所定のハンドルの近くに重心を有することを特徴とする。
【００２０】
上記構成によれば、筐体に設けられる所定のハンドルは、このハンドルを把持して筐体を持ち上げたときに、ブラシに付着した塵埃を溜めるダストボックスの開口が上方に向けられるように設けられている。このため、投写型映像表示装置を持ち運ぶ際に、この所定のハンドルを把持して筐体を持ち上げることにより、ダストボックスの開口を上方に向けた状態で投写型映像表示装置を持ち運ぶことができる。また、ハンドルが筐体に複数設けられているため、１つのハンドルのみが筐体に設けられている場合に比べて、例えば２人で投写型映像表示装置を持ち運ぶ際の利便性の向上を図ることができる。また、投写型映像表示装置は、筐体を持ち上げたときにダストボックスの開口が下方に向けられるように設けられている他のハンドルに比べて、筐体を持ち上げたときにダストボックスの開口が上方に向けられるように設けられている所定のハンドルの近くに重心を有している。従って、上記所定のハンドルを把持して筐体を持ち上げたときには、他のハンドルを把持して筐体を持ち上げたときに比べて、把持したハンドルから重心までの距離が短い。このため、持ち運ばれるときに発生する投写型映像表示装置の揺れを抑制するためには、上記所定のハンドルを把持して筐体を持ち上げることが好ましく、投写型映像表示装置を持ち運ぶ者は、その重心の位置を考慮して、上記所定のハンドルを把持する可能性が高い。この所定のハンドルを把持して筐体を持ち上げたときに、ダストボックスの開口が上方に向けられるように設けられている。よって、投写型映像表示装置が、複数のハンドルのうち上記所定のハンドルに比べて他のハンドルの近くに重心を有する場合に比べて、ダストボックスの開口を上方に向けて筐体が持ち上げられる可能性を高めることができる。従って、投写型映像表示装置が持ち運ばれるときに、ダストボックスに溜めた塵埃がその開口から流出しない可能性を高めることができる。
【００２１】
請求項８に記載の発明は、請求項７に記載の投写型映像表示装置であって、光軸を中心として映像の光を投射する投射レンズを備え、筐体は複数の側面を有し、所定のハンドルが、複数の側面のうち所定の側面に設けられるとともに、他のハンドルが他の側面に設けられ、所定の側面から他の側面までの距離を二等分する筐体の中心線に対して、所定のハンドル側に光軸を偏心させて投射レンズが設けられていることを特徴とする。
【００２２】
上記構成によれば、筐体の中心線に対して、上記所定のハンドル側に光軸を偏心させて投射レンズが設けられている。投写型映像表示装置の重心が偏心していることを、筐体の中心線に対して光軸が偏心している投射レンズにより示すことで、ダストボックスの開口を上方に向けて筐体が持ち上げられる可能性をより高めることができる。
【００２３】
請求項９に記載の発明は、請求項７または８に記載の投写型映像表示装置であって、ダストボックスが開口する方向に平行な方向において、重心と所定のハンドルとが一直線上に位置することを特徴とする。
【００２４】
上記構成によれば、ダストボックスが開口する方向に平行な方向において、投写型映像表示装置の重心と上記所定のハンドルとが一直線上に位置するため、重心の直上に所定のハンドルが位置するように筐体を持ち上げることによって、ダストボックスの開口が上方に向けられる。
【００２５】
請求項１０に記載の発明は、請求項５〜９のいずれか一項に記載の投写型映像表示装置であって、所定のハンドルが複数設けられていることを特徴とする。
上記構成によれば、ブラシに付着した塵埃を溜めるダストボックスの開口が上方に向けられるように設けられている所定のハンドルが１つのみ設けられている場合に比べて、筐体を持ち上げるときの利便性の向上を図ることができる。
【００２６】
請求項１１に記載の発明は、請求項１〜１１のいずれか一項に記載の投写型映像表示装置であって、筐体を持ち上げたときにダストボックスの開口が上方に向けられるように設けられているハンドルは、ダストボックスが開口している方向に位置することを特徴とする。
【００２７】
上記構成によれば、筐体を持ち上げたときにダストボックスの開口が上方に向けられるように設けられているハンドルは、ダストボックスが開口している方向に位置するため、ハンドルがダストボックスよりも上方に位置するように筐体を持ち上げることによって、ダストボックスの開口が上方に向けられる。
【発明の効果】
【００２８】
本発明によれば、投写型映像表示装置が持ち運ばれるときに、ダストボックスに溜めた塵埃がその開口から流出しない可能性を高めることができる。
【図面の簡単な説明】
【００２９】
【図１】本発明の第１の実施形態に係る投写型映像表示装置の外観を示す斜視図。
【図２】同実施形態に係る投写型映像表示装置の平面図。
【図３】同実施形態に係る投写型映像表示装置が備える光学系を示す構成図。
【図４】同実施形態に係る投写型映像表示装置から、エアフィルタ装置を取り外した状態を示す斜視図。
【図５】同実施形態に係るエアフィルタ装置を示す斜視図。
【図６】同実施形態に係るエアフィルタ装置を示す平面図。
【図７】同実施形態に係るエアフィルタ装置が備える掃除ユニットの分解斜視図。
【図８】同実施形態に係る掃除ユニットが備えるダストボックスを展開した状態を示す斜視図。
【図９】同実施形態に係るエアフィルタ装置の断面を模式的に示す断面図。
【図１０】同実施形態に係る投写型映像表示装置が持ち運ばれる際の態様を示す斜視図。
【図１１】図１０における投写型映像表示装置の内部に設けられたエアフィルタ装置の態様を示す模式図。
【図１２】本発明の第２の実施形態に係る投写型映像表示装置の平面図。
【図１３】同実施形態に係る投写型映像表示装置が備える光学系を示す構成図。
【図１４】本発明の第３の実施形態に係る投写型映像表示装置の平面図。
【図１５】（ａ）（ｂ）投写型映像表示装置を持ち運ぶときに把持されたハンドルから重心までの距離を示す模式図であって、投写型映像表示装置に揺れが生じたときのハンドルのまわりの力のモーメントを説明するための図。
【図１６】上記実施形態に係るハンドルの変形例を示す投写型映像表示装置の正面図。
【図１７】図１６に示す投写型映像表示装置が持ち運ばれるときのダストボックスの態様を示す模式図。
【図１８】上記実施形態に係るエアフィルタ装置の変形例を示す模式図。
【発明を実施するための形態】
【００３０】
（第１の実施形態）
以下、本発明を具体化した一実施形態である第１の実施形態について図１〜図１１を参照しながら説明する。
【００３１】
図１に示すように、プロジェクタ１は、電子部品や光学部品を内蔵する筐体１０を備えている。プロジェクタ１は、スクリーンや壁等の平面上に映像を投写して表示する投写型映像表示装置である。以下、プロジェクタ１が映像の光を投射する方向を前後方向における前方とする。また、プロジェクタ１を水平面（図示略）に設置したときに、水平面に平行な方向であって前後方向に直交する方向を左右方向とする。
【００３２】
図１及び図２に示すように、樹脂材料からなる略直方体状の筐体１０は、プロジェクタ１が水平面に設置されたときに筐体１０の外部に露出する表面として、前側に設けられる前面１０ａと、前側の反対側である後側に設けられる後面１０ｂとを有している。
【００３３】
さらに、筐体１０は、プロジェクタ１が水平面に設置されたときに筐体１０の外部に露出する表面として、右側に設けられる側面１０ｃと、左側に設けられる側面１０ｄとを有している。図２に示すように、側面１０ｄには２つのハンドル１１，１２が設けられている。
【００３４】
ハンドル１１，１２は持ち手となる形状に形成されている。具体的には、ハンドル１１は、筐体１０の表面である側面１０ｄから左方へ突出する２つの突出部１１ａと、２つの突出部１１ａを接続して前後方向に延びて設けられた把持部１１ｂとを有している。また、ハンドル１２も、筐体１０の表面である側面１０ｄから左方へ突出する２つの突出部１２ａと、２つの突出部１２ａを接続して前後方向に延びて設けられた把持部１２ｂとを有している。
【００３５】
ハンドル１１，１２は、前後方向において間隔をあけて設けられている。このように筐体１０にハンドル１１，１２が設けられるプロジェクタ１を一人で持ち運ぶときには、一方の片手でハンドル１１の把持部１１ｂを把持するとともに、他方の片手でハンドル１２の把持部１２ｂを把持して、プロジェクタ１を容易に持ち運ぶことができる。
【００３６】
なお、ハンドル１１，１２は、筐体１０と同一の材料により筐体１０に一体的に形成されていてもよく、筐体１０に着脱可能または収納可能とするために、筐体１０とは異なる部材により形成されていてもよい。また、ハンドル１１，１２は、筐体１０に直接設けられていなくてもよい。
【００３７】
さらに、筐体１０は、プロジェクタ１が水平面に設置されたときにその水平面と対向する底面１０ｅ（図１１参照）と、底面１０ｅの反対側に設けられた外面１０ｆとを有している。従って、底面１０ｅを下側に設けた場合には、外面１０ｆは下側の反対側である上側に設けられる。
【００３８】
図３に示すように、プロジェクタ１は映像を表示するための光学系２を備えている。筐体１０の内部には、光学系２を構成する光学部品として、映像表示用の光源であるランプ２１ａ，２１ｂ，２１ｃ，２１ｄと、白色光を赤・緑・青の三原色の光に分離するダイクロイックミラー２６ｒ，２６ｂと、三原色の光に対応した液晶ライトバルブ２７ｒ，２７ｇ，２７ｂとが設けられている。
【００３９】
超高圧水銀ランプやメタルハライドランプ等の放電ランプにより構成されるランプ２１ａ，２１ｂ，２１ｃ，２１ｄの各々は、白色光を光軸方向に平行な平行光として発する。図３において、一点鎖線Ｌ１は、ランプ２１ａ，２１ｂの光軸Ｌ１であって、一点鎖線Ｌ２は、ランプ２１ｃ，２１ｄの光軸Ｌ２である。２つのランプ２１ａ，２１ｂが左右方向において対向するように配置されるとともに、２つのランプ２１ｃ，２１ｄが左右方向において対向するように配置されている。従って、本実施形態においては、左右方向がランプ２１ａ，２１ｂ，２１ｃ，２１ｄの光軸方向（光軸Ｌ１，Ｌ２に平行な方向）である。なお、前方または後方から見て光軸Ｌ１と光軸Ｌ２とが重ならないようにランプ２１ａ，２１ｂ，２１ｃ，２１ｄが設けられている。
【００４０】
ランプ２１ａ，２１ｂ，２１ｃ，２１ｄの各々が発する光は、全反射ミラー２２により液晶ライトバルブ２７ｒ，２７ｇ，２７ｂに導かれる。このとき、光が液晶ライトバルブ２７ｒ，２７ｇ，２７ｂに入射するまでに、一対のフライアイレンズにより構成されるインテグレータレンズ２３によって照度分布の均一化が図られるとともに、偏光変換素子２４によって偏光方向が所定方向に揃えられる。また、集光レンズ２５によって光束が収束されて液晶ライトバルブ２７ｒ，２７ｇ，２７ｂに入射するように構成されている。
【００４１】
ランプ２１ａ，２１ｂ，２１ｃ，２１ｄが発する白色光は、赤色の波長の光が透過するダイクロイックミラー２６ｒと、青色の波長の光が透過するダイクロイックミラー２６ｂとにより、赤色の波長の光（以下、「赤色光」）と緑色の波長の光（以下、「緑色光」）と青色の波長の光（以下、「青色光」）とに分離される。
【００４２】
白色光から分離された赤色光は液晶ライトバルブ２７ｒに入射する。液晶ライトバルブ２７ｒは、画像を構成する画素毎に光の透過率が変更可能なライトバルブであって、液晶パネルや偏光板（いずれも図示略）を含んでいる。液晶ライトバルブ２７ｒに入射した赤色光が、液晶ライトバルブ２７ｒを透過することによって赤色の映像が生成される。
【００４３】
白色光から分離された緑色光は液晶ライトバルブ２７ｇに入射する。液晶ライトバルブ２７ｇも、液晶ライトバルブ２７ｒと同様に画素毎に光の透過率が変更可能なライトバルブである。液晶ライトバルブ２７ｇに入射した緑色光が、液晶ライトバルブ２７ｇを透過することによって緑色の映像が生成される。
【００４４】
白色光から分離された青色光は液晶ライトバルブ２７ｂに入射する。液晶ライトバルブ２７ｂも、液晶ライトバルブ２７ｒ，２７ｇと同様に画素毎に光の透過率が変更可能なライトバルブである。液晶ライトバルブ２７ｂに入射した青色光が、液晶ライトバルブ２７ｂを透過することによって青色の映像が生成される。
【００４５】
さらに、筐体１０内には、光学系２を構成する光学部品として、三原色の映像の光を合成するクロスダイクロイックプリズム２８と、映像の光を投射するレンズ群を備えた投射レンズ２９とが設けられている。
【００４６】
液晶ライトバルブ２７ｒ，２７ｇ，２７ｂにおいて生成された赤・緑・青の映像の光が、クロスダイクロイックプリズム２８に入射して、クロスダイクロイックプリズム２８において合成されることにより、３色以上のフルカラーの映像が生成される。生成されたフルカラーの映像の光は、クロスダイクロイックプリズム２８から出射されて投射レンズ２９に入射する。
【００４７】
投射レンズ２９は、プロジェクタ１の前方に設けられるスクリーンや壁等の平面に向けて３色以上のフルカラーの映像の光を投射する。このようにしてプロジェクタ１は平面上に映像を表示する。図３において、一点鎖線Ｌ３は、投射レンズ２９の光軸Ｌ３であって、投射レンズ２９は、光軸Ｌ３を中心として映像の光を投射する。図３に示すように、前後方向と左右方向とに直交する方向から見て、投射レンズ２９の光軸Ｌ３は、光軸Ｌ１，Ｌ２に対して垂直である。即ち、光軸Ｌ３と、光軸Ｌ１，Ｌ２とは、互いに異なる方向に平行である。
【００４８】
発光に伴い発熱するランプ２１ａ，２１ｂ，２１ｃ，２１ｄの長寿命化のためには、ランプ２１ａ，２１ｂ，２１ｃ，２１ｄの光軸方向を鉛直方向に向けないようにする必要がある。即ち、光軸Ｌ１，Ｌ２が水平方向に延びるように設けられる必要がある。本実施形態においては、投射レンズ２９の光軸Ｌ３に平行な方向が、ランプ２１ａ，２１ｂ，２１ｃ，２１ｄの光軸Ｌ１，Ｌ２に平行な方向と異なる。このため、光軸Ｌ１，Ｌ２を鉛直方向に延びないように水平方向に平行に設けながら、光軸Ｌ３に平行な方向（投射レンズ２９の光軸方向）を変化させて、種々の平面上に映像を表示することができる。具体的には、例えば、底面１０ｅを水平面または天井と対向するようにプロジェクタ１を設置することにより、スクリーンや壁に映像を表示することが可能であり、底面１０ｅを壁と対向するようにプロジェクタ１を設置することにより、床または天井に映像を表示することが可能である。
【００４９】
以上のように、本実施形態に係るプロジェクタ１は、３板式の液晶プロジェクタであって、一画像を４つの光源により映し出す４灯式の投写型映像表示装置である。プロジェクタ１は、上記光学部品の他にも、液晶ライトバルブ２７ｒ，２７ｇ，２７ｂを構成する液晶パネルを駆動するための電子部品（不図示）や、光学部品及び電子部品を冷却するためのファンである吸気ファン（図示略）を筐体１０内に備えている。
【００５０】
プロジェクタ１は、光学部品等を冷却するための空気を筐体１０の外部から内部へ流入させるとともに、筐体１０の内部へ流入しようとする空気中の塵埃を捕捉するためのエアフィルタ装置３（図１参照）を備えている。以下、筐体１０の内部へ向かう方向を内方とするとともに、この内方と反対側の方向であって筐体１０の外部へ向かう方向を外方として、エアフィルタ装置３を説明する。
【００５１】
図４に示すように、筐体１０の底面１０ｅ側に設けられるエアフィルタ装置３は、筐体１０の前面１０ａ側から引き出されることによって、プロジェクタ１から取り外すことができるように構成されている。即ち、エアフィルタ装置３は、前後方向にスライドさせることによって、プロジェクタ１に対して着脱可能に構成されている。
【００５２】
エアフィルタ装置３は、樹脂材料からなる基材３１を備えている。基材３１には、吸気口である四角形状の開口３１ａが形成されるとともに、この開口３１ａを覆うように静電フィルタ３２が基材３１に設けられている。さらに、基材３１には、静電フィルタ３２と同様に開口３１ａを覆うウレタンフィルタ３３（図９参照）が設けられている。ウレタンフィルタ３３はウレタンにより形成されたエアフィルタである。
【００５３】
断面が波形状の静電フィルタ３２は、静電気を帯電する繊維により構成されたエアフィルタである。弾性変形可能な静電フィルタ３２及びウレタンフィルタ３３は、基材３１に埋め込まれるように設けられ、基材３１から抜け落ちないように基材３１に一体的に形成された突起３１ｂによって移動が規制されている。
【００５４】
図５は、図４に示すエアフィルタ装置３の反対側、即ち筐体１０の外部に向けて設けられる側を図示したエアフィルタ装置３の斜視図である。また、図６は、外方から見た場合のエアフィルタ装置３の平面図である。
【００５５】
図５及び図６に示すように、エアフィルタ装置３は、静電フィルタ３２及びウレタンフィルタ３３よりも外方に設けられたエアフィルタ３４を備えている。エアフィルタ３４は、格子状に形成された枠部材３４Ａに接着または融着されて設けられている。枠部材３４Ａが基材３１にねじ止めされることによって、エアフィルタ３４が開口３１ａを覆うように基材３１に設けられる。
【００５６】
また、基材３１には、直線状に形成されるとともに外方に向けられた歯を有するギアとして、第１のラック３５と第２のラック３６とがねじ止めにより固定されて設けられている。第１のラック３５は、エアフィルタ３４の前方において、左右方向に延びるように設けられるとともに、第２のラック３６は、エアフィルタ３４の後方において、左右方向に延びるように設けられている。このようにして、一対のラック３５，３６は、エアフィルタ３４を挟むようにして互いに平行に設けられている。
【００５７】
また、基材３１の前側端部には、エアフィルタ装置３がプロジェクタ１に取り付けられたときに、プロジェクタ１が備えるコネクタ（図示略）と接続されるコネクタ３７が設けられている。このコネクタ３７が、プロジェクタ１のコネクタと接続されることにより、プロジェクタ１からエアフィルタ装置３が備える電気部品に電力が供給可能となる。
【００５８】
さらに、基材３１の前側端部には、エアフィルタ装置３がプロジェクタ１に取り付けられたときに筐体１０の表面と段差がない状態（即ち、面一）で設けられるパネル３８が取り付けられている。
【００５９】
エアフィルタ３４等を備えるエアフィルタ装置３がプロジェクタ１に取り付けられることにより、筐体１０にはエアフィルタ３４等により構成される３層のエアフィルタが設けられる。
【００６０】
エアフィルタ装置３は、エアフィルタ３４を自動的に掃除する掃除ユニット４を備えている。即ち、エアフィルタ装置３は、エアフィルタ３４と掃除ユニット４とを備えるエアフィルタ掃除装置である。略直方体状の掃除ユニット４は、エアフィルタ３４を掃除しない状態においては、外方及び内方から見てエアフィルタ３４と重ならない位置に配置されている。
【００６１】
図７は、図５に示す掃除ユニット４が備えるケース４１から、ケース４１にねじ止めにより固定されるダストボックス５及びカバー４６，４７を取り外した状態の分解斜視図である。また、図８は、ダストボックス５を展開した状態を示す斜視図である。図９は、図６におけるＡ−Ａ線矢視断面の模式図である。
【００６２】
図７に示すように、掃除ユニット４は、エアフィルタ３４を掃除するブラシ４５、ブラシに付着した埃を溜めるダストボックス５、ブラシ４５およびダストボックス５が設けられるケース４１、ブラシ４５から埃を除去する除塵体６（図８参照）等を備えている。
【００６３】
前後方向に延びて形成されたケース４１の前側端部には、小型の電動モータ４２を収容するモータ収容部４１ａが設けられている。また、ケース４１の左側端部には、ケース４１の前側端部から後側端部にわたって、電動モータ４２によって回転させられる回転軸４３を収容する回転軸収容部４１ｂが設けられている。
【００６４】
また、ケース４１の後側端部には、回転軸４３の回転をブラシ４５に伝達するための動力伝達機構４４を収容する動力伝達機構収容部４１ｃが設けられている。前側端部に設けられたモータ収容部４１ａと、後側端部に設けられた動力伝達機構収容部４１ｃとは、前後方向において間隔をあけて設けられている。従って、ケース４１内においてモータ収容部４１ａと動力伝達機構収容部４１ｃとの間には空間が形成されている。この空間は、左側端部に設けられた回転軸収容部４１ｂよりも右方に設けられた空間であって、この空間にブラシ４５とダストボックス５とが設けられる。
【００６５】
モータ収容部４１ａに収容された電動モータ４２は、掃除ユニット４が備える動力源である。電動モータ４２は、ケース４１にねじ止めされたモータカバー４２Ａにより覆われている。電動モータ４２は、かさ歯車４２ｂが先端に設けられた出力軸４２ａを有している。電気部品である電動モータ４２は、コネクタ３７を介してプロジェクタ１から供給される電力により、かさ歯車４２ｂを回転させる。電動モータ４２が有する出力軸４２ａは、左方へ延びて設けられて、かさ歯車４２ｂは回転軸収容部４１ｂ内に設けられて、回転軸４３が有するかさ歯車４３ａと噛み合っている。
【００６６】
また、モータ収容部４１ａには、電動モータ４２に電力を供給するための配線が形成されたプリント配線板４２Ｂが収容されている。ケース４１とともに左右方向に移動する電動モータ４２においては、プリント配線板４２Ｂにフィルム状のフレキシブルケーブル（不図示）が接続されることが好ましい。即ち、ケース４１内に設けられた電動モータ４２は、フレキシブルケーブルを介して、基材３１に設けられたコネクタ３７と接続されることが好ましい。
【００６７】
回転軸収容部４１ｂに収容された回転軸４３は、前後方向に延びて設けられた金属材料からなる軸部材である。回転軸４３には、かさ歯車４２ｂと噛み合うかさ歯車４３ａと、動力伝達機構４４に接続される平歯車４３ｂとが設けられている。従って、電動モータ４２は、かさ歯車４２ｂ，４３ａを介して、回転軸４３を回転させるとともに、回転軸４３の平歯車４３ｂを介して、動力伝達機構４４に回転力を伝達する。
【００６８】
さらに、回転軸４３の前側端部には、回転体の外周に歯を有するギアとして、樹脂材料からなる第１のピニオン４３Ａが設けられるとともに、回転軸４３の後側端部には、同様に、樹脂材料からなる第２のピニオン４３Ｂが設けられている。第１のピニオン４３Ａは、ケース４１の前方に突出して設けられるとともに、第２のピニオン４３Ｂは、ケース４１の後方に突出して設けられている。第１のピニオン４３Ａは、第１のラック３５と噛み合う。また、第２のピニオン４３Ｂは、第２のラック３６と噛み合う。従って、電動モータ４２は、回転軸４３に設けられてラック３５，３６と噛み合うピニオン４３Ａ，４３Ｂを回転させて、掃除ユニット４を左右方向に移動させる。
【００６９】
かさ歯車４３ａと第１のピニオン４３Ａは、耐摩耗性に優れた１つの樹脂部材４８により形成されている。また、かさ歯車４３ｂと第２のピニオン４３Ｂも、耐摩耗性に優れた１つの樹脂部材４９により形成されている。かさ歯車４３ａと第１のピニオン４３Ａとの間において樹脂部材４８に設けられた円筒状の中間部がケース４１の前側端部により支持されるとともに、かさ歯車４３ｂと第２のピニオン４３Ｂとの間において樹脂部材４９に設けられた円筒状の中間部がケース４１の後側端部により支持されている。このようにして、回転軸４３はケース４１により回転可能に支持されている。なお、ケース４１の前側端部及び後側端部以外の部位においても、回転軸４３はケース４１により回転可能に支持されている。
【００７０】
動力伝達機構収容部４１ｃに収容された動力伝達機構４４は、平歯車４３ｂと噛み合う機械要素により構成されている。動力伝達機構４４には、ブラシ４５を構成する軸部材４５ａに接続され、回転軸４３の回転力をブラシ４５に伝達する。従って、電動モータ４２が回転軸４３を回転させることにより、ブラシ４５も回転する。なお、動力伝達機構４４は、ダストボックス５に塵埃が溜まる方向のみにブラシ４５を回転させるように、ワンウェイクラッチにより構成されていることが好ましい。
【００７１】
ブラシ４５は、金属または樹脂材料からなる軸部材４５ａと、軸部材４５ａの外周において回転する軸部材４５ａの遠心方向に向けて設けられた繊維４５ｂとにより構成されている。ブラシ４５の前後方向における両端部において、軸部材４５ａがケース４１に支持されることによって、ブラシ４５はケース４１により回転可能に支持されている。円筒状の繊維４５ｂは、その一部がケース４１内から内方に突出するように設けられている。従って、掃除ユニット４がエアフィルタ３４と対向して移動しながら、ブラシ４５が回転することにより、エアフィルタ３４が掃除されて、ブラシ４５の繊維４５ｂに塵埃が付着する。
【００７２】
カバー４６は、ケース４１の前側端部に対してねじ止めにより固定される。カバー４６がケース４１に設けられることにより、ケース４１内の前側端部に設けられる電動モータ４２及びプリント配線板４２Ｂ及びかさ歯車４２ｂ，４３ａが、カバー４６により覆われる。カバー４６がケース４１にねじ止めされることにより、回転軸４３及びブラシ４５の軸部材４５ａはケース４１だけでなくカバー４６によっても回転可能に支持される構成となっている。
【００７３】
カバー４７は、ケース４１の後側端部に対してねじ止めにより固定される。カバー４７がケース４１に設けられることにより、ケース４１内の後側端部に設けられる平歯車４３ｂ及び動力伝達機構４４が、カバー４７により覆われる。カバー４７がケース４１にねじ止めされることにより、回転軸４３及びブラシ４５の軸部材４５ａはケース４１だけでなくカバー４７によっても回転可能に支持される構成となっている。即ち、ケース４１及びカバー４６，４７が回転軸４３及び軸部材４５ａの軸受けとして機能する。
【００７４】
図８及び図９に示すように、ケース４１内に取り付けられるダストボックス５は、内側ケース５Ａと、外側ケース５Ｂとにより構成されている。樹脂材料からなるケース５Ａ，５Ｂは、ダストボックス５が展開するように回動可能に連結されている。
【００７５】
図８に示すように、内側ケース５Ａは、ダストボックス５内の空間を形成する壁として、内側壁部５１と右側壁部５２と前側壁部５３と後側壁部５４とを有している。また、内側ケース５Ａは、ケース５Ａ，５Ｂが回動可能に連結されるための軸部５５を有している。
【００７６】
内側壁部５１は、ダストボックス５がケース４１に取り付けられたときに、ダストボックス５において内側に設けられる。内側壁部５１には、ダストボックス５内の空間の長手方向において、その空間を仕切る隔壁５１ａが設けられている。この隔壁５１ａにより、ダストボックス５内の空間の長手方向が鉛直方向となったときであっても、ダストボックス５内の塵埃が１箇所に溜まる量を抑制することができる。
【００７７】
また、内側壁部５１には、ブラシ４５の繊維４５ｂに付着した塵埃を除去する除塵体６が設けられる。内側壁部５１には、除塵体６が内側壁部５１に取り付けられるために、移動規制片５１ｂと突部５１ｃが設けられている。移動規制片５１ｂは、内側壁部５１を変形させて形成されるとともに、突部５１ｃは、内側壁部５１の表面を膨らませて形成されている。突部５１ｃが除塵体６に設けられた貫通孔６１に挿通された状態で、除塵体６の移動が移動規制片５１ｂにより規制される。
【００７８】
右側壁部５２は、ダストボックス５がケース４１に取り付けられた状態において、内側壁部５１の右側端部に接続されるとともに、内側壁部５１の右側端部から外方に向けて延びる。このように右側壁部５２は、ダストボックス５において右側に設けられる。
【００７９】
前側壁部５３は、ダストボックス５がケース４１に取り付けられた状態において、内側壁部５１の前側端部に接続されるとともに、内側壁部５１の前側端部から外方に向けて延びる。このように前側壁部５３は、ダストボックス５において前側に設けられ、右側壁部５２と接続されている。
【００８０】
後側壁部５４は、ダストボックス５がケース４１に取り付けられた状態において、内側壁部５１の後側端部に接続されるとともに、内側壁部５１の後側端部から外方に向けて延びる。このように後側壁部５４は、ダストボックス５において後側に設けられ、右側壁部５２と接続されている。
【００８１】
円柱状の軸部５５は、右側壁部５２において、ダストボックス５内の空間の長手方向（即ち、ダストボックス５がケース４１に取り付けられた状態における前後方向）の両端部に設けられている。
【００８２】
外側ケース５Ｂは、ダストボックス５内の空間を形成する壁として、外側壁部５６を有している。また、外側ケース５Ｂは、ブラシ４５を覆うためのブラシカバー部５７と、ケース５Ａ，５Ｂが回動可能に連結されるための軸支持部５８と、ダストボックス５をケース４１に対して回動可能に取り付けるための取付部５９とを有している。
【００８３】
外側壁部５６は、ダストボックス５がケース４１に取り付けられたときに、ダストボックス５において外側に設けられる。外側壁部５６には、ダストボックス５内の空間を左右方向において仕切る隔壁５７ａが設けられている。この隔壁５７ａにより、ダストボックス５内の空間から塵埃が流出することを抑制することができる。
【００８４】
また、外側壁部５６には、内側ケース５Ａと外側ケース５Ｂとが閉じた状態を維持するために係止片５７ｂが設けられている。係止片５７ｂは、ダストボックス５内に空間が形成されるように内側ケース５Ａと外側ケース５Ｂとが閉じたときに、内側ケース５Ａの隔壁５１ａの先端に設けられた突出部５１ｄと係合するように形成されている。係止片５７ｂが突出部５１ｄと係合することにより、内側ケース５Ａに対する外側ケース５Ｂの回動が係止される。
【００８５】
ブラシカバー部５７は、ブラシ４５が設けられる方向に外側壁部５６を延ばして形成されている。ダストボックス５がケース４１に取り付けられることにより、ケース４１内に設けられた回転軸４３及びブラシ４５が、ブラシカバー部５７により覆われる。ダストボックス５がケース４１に取り付けられたときには、ダストボックス５のブラシカバー部５７がねじ止めによりケース４１に固定される。
【００８６】
軸支持部５８は、ダストボックス５内の空間の長手方向の両端部に軸部５５と対応させて設けられている。外側ケース５Ｂの軸支持部５８により、内側ケース５Ａの軸部５５の外周が支持されることにより、ケース５Ａ，５Ｂが回動可能に連結されている。
【００８７】
取付部５９は、外側ケース５Ｂの後側端部と前側端部とに設けられている。取付部５９は、小判形状の突起と、この突起から前後方向において突出した円柱状の突起とにより形成されている。このような取付部５９がケース４１によって支持されることにより、ダストボックス５がケース４１に取り付けられる。
【００８８】
以上のように構成されたダストボックス５は、内側壁部５１と右側壁部５２と前側壁部５３と後側壁部５４とにより形成されるとともに、左方に向けて開口する空間を有している。従って、塵埃を溜めるダストボックス５は、ケース４１に取り付けられたときに、ブラシ４５に向けて開く開口５ａを有している。ダストボックス５の開口５ａは、前後方向において延びて設けられ、ブラシ４５の繊維４５ｂに付着した塵埃を溜めるように構成されている。
【００８９】
ダストボックス５の開口５ａには除塵体６が取り付けられている。具体的には、除塵体６は、内側ケース５Ａの左側端部に設けられている。除塵体６は、ダストボックス５がケース４１に取り付けられたときに、ブラシ４５の繊維４５ｂに入るように設けられている。従って、ブラシ４５が回転することにより、ブラシ４５の繊維４５ｂから埃が除去される。なお、除塵体６の左側端部は、鋸状に形成されているため、ブラシ４５に付着した塵埃を効果的に除去することができる。
【００９０】
図９等に示す掃除ユニット４が左方に移動すると、回転するブラシ４５によってエアフィルタ３４が掃除されて、ブラシ４５に付着した塵埃が開口５ａからダストボックス５内に流入することにより、塵埃がダストボックス５に溜められる。そして、掃除ユニット４が基材３１の左側端部まで移動して掃除が完了すると、掃除ユニット４は右方に移動する。このようにして、掃除ユニット４は左右方向に往復移動してエアフィルタ３４を掃除する。
【００９１】
なお、ダストボックス５が開口する方向は、ランプ２１ａ，２１ｂ，２１ｃ，２１ｄの光軸Ｌ１，Ｌ２が延びる方向と同じであるため、光軸Ｌ１，Ｌ２を水平方向に平行に設けた場合には、ダストボックス５は水平方向に向けて開口する。このとき、ダストボックス５から塵埃が流出する可能性は低い。
【００９２】
以上のような構成のエアフィルタ装置３が取り付けられたプロジェクタ１は、エアフィルタ３４が設けられる筐体１０と、所定の直線方向である左右方向に移動してエアフィルタ３４を掃除するブラシ４５と、ブラシ４５に向けて開口してブラシ４５に付着した塵埃を溜めるダストボックス５とを備える。
【００９３】
ここで、本実施形態においては、筐体１０に設けられるハンドル１１，１２が、ハンドル１１，１２を把持して筐体１０を持ち上げたときにダストボックス５の開口５ａが上方に向けられるように設けられていることに特徴がある。
【００９４】
ハンドル１１，１２を把持して筐体１０が持ち上げられるときのプロジェクタ１の態様を具体的に説明する。水平面に設置された状態の筐体１０を持ち上げるためには、ハンドル１１，１２を把持して、プロジェクタ１が傾くように筐体１０を上方に持ち上げる。より具体的には、把持したハンドル１１，１２がプロジェクタ１の重心に対して上方に位置するように、かつ、把持したハンドル１１，１２とプロジェクタ１の重心との上下方向における距離が大きくなるように筐体１０が持ち上げられる。
【００９５】
図１０は、ハンドル１１，１２を把持して筐体１０を持ち上げたときの状態を示している。また、図１１は、図１０のように筐体１０が持ち上げられたときにおいて、ダストボックス５が開口する方向を示す模式図である。
【００９６】
図１１に示すように、ハンドル１１，１２の把持部１１ｂ，１２ｂは、ダストボックスが開口する方向（即ち、左方）に設けられている。即ち、ハンドル１１，１２は、左側の側面１０ｄに設けられることによって、ダストボックス５の開口５ａよりも左側に設けられている。このような構成により、ハンドル１１，１２を把持して筐体１０を持ち上げたときにダストボックス５の開口５ａが上方に向けられる。
【００９７】
本実施形態によれば、以下の効果を得ることができる。
（１）ハンドル１１，１２は、ハンドル１１，１２を把持して筐体１０を持ち上げたときにダストボックス５の開口５ａが上方に向けられるように設けられている。このため、プロジェクタ１を持ち運ぶ際に、ハンドル１１，１２を把持して筐体１０を持ち上げることにより、ハンドル１１，１２を用いてダストボックス５の開口５ａを上方に向けた状態でプロジェクタ１を持ち運ぶことができる。従って、プロジェクタ１が持ち運ばれるときに、ダストボックス５に溜めた塵埃がその開口５ａから流出しない可能性を高めることができる。
【００９８】
（２）筐体１０は複数の側面１０ｃ，１０ｄを有し、複数の側面１０ｃ，１０ｄのうち、１つの側面１０ｄのみにハンドル１１，１２が設けられている。筐体１０を持ち上げたときにダストボックス５の開口５ａが上方に向けられるように設けられているハンドル１１，１２以外にも他のハンドルが筐体１０に設けられている場合には、筐体１０を持ち上げたときにダストボックス５の開口５ａを上方に向けるために把持すべきハンドルを認識しにくい。従って、筐体１０が有する複数の側面１０ｃ，１０ｄのうち、１つの側面１０ｄのみにハンドルが設けられていることにより、２つの側面１０ｃ，１０ｄにハンドルが設けられている場合に比べて、ダストボックス５の開口５ａを下方に向けて筐体１０が持ち上げられる可能性を低減することができる。
【００９９】
（３）ハンドル１１，１２は、ダストボックス５が開口する方向に対して垂直な方向（即ち、前後方向）に延びて設けられた把持部１１ｂ，１２ｂにより構成され、把持部１１ｂ，１２ｂが、ダストボックス５が開口する方向（即ち、左方）に設けられる。このため、把持部１１ｂ，１２ｂが水平方向に延びるようにハンドル１１，１２を把持しながら、ダストボックス５よりも把持部１１ｂ，１２ｂが上方となるように筐体１０を持ち上げることにより、ダストボックス５の開口５ａを上方に向けた状態でプロジェクタ１を持ち運ぶことができる。
【０１００】
（４）１つの側面１０ｄに、複数のハンドル１１，１２が設けられている。このため、１つの側面１０ｄにハンドルが１つのみ設けられている場合に比べて、筐体１０を持ち上げるときの利便性の向上を図ることができる。
【０１０１】
（５）筐体１０を持ち上げたときにダストボックス５の開口５ａが上方に向けられるように設けられているハンドル１１，１２は、ダストボックス５が開口している方向に位置する。このため、ハンドル１１，１２がダストボックス５よりも上方に位置するように筐体１０を持ち上げることによって、ダストボックス５の開口５ａが上方に向けられる。
【０１０２】
（第２の実施形態）
次に、本発明を具体化した一実施形態である第２の実施形態について図１２及び図１３を参照しながら説明する。なお、上記第１の実施形態と同様の構成については、その説明を省略または簡略化する。
【０１０３】
本実施形態においては、側面１０ｃにハンドル１３，１４が設けられている。ハンドル１３，１４は、ハンドル１１，１２と同様に、持ち手となる形状に形成されている。具体的には、ハンドル１３は、筐体１０の表面である側面１０ｃから右方へ突出する２つの突出部１３ａと、２つの突出部１３ａを接続して前後方向に延びて設けられた把持部１３ｂとを有している。また、ハンドル１４も、筐体１０の表面である側面１０ｃから右方へ突出する２つの突出部１４ａと、２つの突出部１４ａを接続して前後方向に延びて設けられた把持部１４ｂとを有している。
【０１０４】
なお、ハンドル１３，１４は、筐体１０と同一の材料により筐体１０に一体的に形成されていてもよく、筐体１０に着脱可能または収納可能とするために、筐体１０とは異なる部材により形成されていてもよい。また、ハンドル１３，１４は、筐体１０に直接設けられていなくてもよい。
【０１０５】
上記第１の実施形態と同様に、ハンドル１１，１２は、ハンドル１１，１２を把持して筐体１０を持ち上げたときにダストボックス５の開口５ａが上方に向けられるように設けられている。これに対して、ハンドル１３，１４は、ハンドル１３，１４を把持して筐体１０を持ち上げたときにダストボックス５の開口５ａが下方に向けられるように設けられている。
【０１０６】
ハンドル１３，１４は、前後方向において間隔をあけて設けられている。プロジェクタ１を二人で持ち運ぶときには、一人が両手でハンドル１１，１２の把持部１１ｂ，１２ｂを把持するとともに、他の一人が、両手でハンドル１３，１４の把持部１３ｂ，１４ｂを把持して、プロジェクタ１を容易に持ち運ぶことができる。このとき、ダストボックス５の開口５ａは、水平方向に向けられる可能性が高く、下方に向けられる可能性は低い。
【０１０７】
プロジェクタ１を一人で持ち運ぶときに、ダストボックス５の開口５ａを上方に向けた状態とするためには、ハンドル１３，１４が把持されるのではなく、ハンドル１１，１２が把持されて筐体１０が持ち上げられる必要がある。そこで、本実施形態におけるプロジェクタ１は、ハンドル１１，１２がハンドル１３，１４に比べて優先して把持されるべきであることの指標となる指標部を有している。
【０１０８】
本実施形態においては、上記指標部は、筐体１０の中心線Ｃから、優先して把持すべきハンドル１１，１２側に光軸Ｌ３が偏心するように設けられた投射レンズ２９により構成されている。筐体１０の中心線Ｃは、左右方向において側面１０ｃと側面１０ｄとの距離を二等分する線であって、投射レンズ２９の光軸Ｌ３は筐体１０の中心線Ｃに比べて左方に位置している。
【０１０９】
上記第１の実施形態においては、投射レンズ２９の光軸は右側に偏心していたが、図１３に示すように、光学系２の全体を、図３に示す光学系２の配置に比べて左方に配設することにより、本実施形態においては、投射レンズ２９の光軸は左側に偏心している。
【０１１０】
本実施形態によれば、以下の効果、及び上記（４）及び（５）に記載の効果を得ることができる。
（６）複数のハンドル１１，１２，１３，１４のうちハンドル１１，１２は、ハンドル１１，１２を把持して筐体１０を持ち上げたときにダストボックス５の開口５ａが上方に向けられるように設けられている。このため、プロジェクタ１を持ち運ぶ際に、ハンドル１１，１２を把持して筐体１０を持ち上げることにより、ダストボックス５の開口５ａを上方に向けた状態でプロジェクタ１を持ち運ぶことができる。
【０１１１】
（７）複数のハンドル１１，１２，１３，１４が筐体１０に設けられている。このため、例えばハンドル１１，１２のみが筐体１０に設けられている場合に比べて、２人でプロジェクタ１を持ち運ぶ際の利便性の向上を図ることができる。
【０１１２】
（８）プロジェクタ１は、複数のハンドル１１，１２，１３，１４のうちハンドル１１，１２が、他のハンドル１３，１４に比べて優先して把持されるべきであることの指標となる指標部として投射レンズ２９を有している。このため、筐体１０を持ち上げたときにダストボックス５の開口５ａを上方に向けるために把持すべきハンドル１１，１２を認識しにくい場合であっても、指標部としての投射レンズ２９を参照して筐体１０を持ち上げることにより、ダストボックス５の開口を上方に向けた状態でプロジェクタ１を持ち運ぶことができる。従って、プロジェクタ１が持ち運ばれるときに、ダストボックス５に溜めた塵埃がその開口５ａからが流出しない可能性を高めることができる。
【０１１３】
（９）プロジェクタ１は、光軸Ｌ３を中心として映像の光を投射する投射レンズ２９を備え、筐体１０は複数の側面１０ｃ，１０ｄを有し、側面１０ｄから側面１０ｃまでの距離を二等分する筐体１０の中心線Ｃに対して、優先して把持すべきハンドル１１，１２側に光軸Ｌ３を偏心させて設けられた投射レンズ２９により、指標部が構成されている。筐体１０の中心線Ｃに対して光軸Ｌ３が偏心するように投射レンズ２９が設けられている場合には、プロジェクタ１を持ち運ぶ者が、その重心も筐体１０の中心線Ｃからハンドル１１，１２側に偏心しているものと予想する可能性が高い。持ち運ばれるときに発生するプロジェクタ１の揺れを抑制するためには、把持されるハンドルとプロジェクタ１の重心が近いことが好ましいため、プロジェクタ１を持ち運ぶ者によって、ハンドル１３，１４よりもハンドル１１，１２が把持されて筐体１０が持ち上げられることが期待される。よって、投射レンズ２９の配置態様をもってプロジェクタ１を持ち運ぶときに参照すべき指標部を構成することができる。
【０１１４】
（第３の実施形態）
次に、本発明を具体化した一実施形態である第３の実施形態について図１４及び図１５を参照しながら説明する。なお、上記第２の実施形態と同様の構成については、その説明を省略または簡略化する。
【０１１５】
図１４に示すように、本実施形態においては、プロジェクタ１は、複数のハンドル１１，１２，１３，１４のうちハンドル１３，１４に比べてハンドル１１，１２の近くに重心Ｇを有している。即ち、プロジェクタ１の重心Ｇが、筐体１０の中心線Ｃよりも左方に位置している。
【０１１６】
なお、本実施形態においても、上記第２の実施形態と同様に、投射レンズ２９の光軸Ｌ３は筐体１０の中心線Ｃに比べて左方に位置している。即ち、筐体１０の中心線Ｃから、ハンドル１１，１２側に光軸Ｌ３が偏心するように投射レンズ２９が設けられている。
【０１１７】
本実施形態によれば、上記（４）〜（７）に記載の効果に加えて、以下の効果を得ることができる。
（１０）プロジェクタ１は、複数のハンドル１１，１２，１３，１４のうちハンドル１３，１４に比べてハンドル１１，１２の近くに重心Ｇを有する。従って、図１５に示すように、ハンドル１１，１２を把持して筐体１０を持ち上げたときには、他のハンドル１３，１４を把持して筐体１０を持ち上げたときに比べて、把持されたハンドルから重心Ｇまでの距離Ｄが短い。重心Ｇにプロジェクタ１を揺らす力Ｆがはたらくとすると、把持されたハンドルのまわりの力のモーメントは、ハンドル１１，１２が把持されたときに比べてハンドル１３，１４が把持されたときの方が大きい。このため、持ち運ばれるときに発生するプロジェクタ１の揺れを抑制するためには、ハンドル１１，１２を把持して筐体１０を持ち上げることが好ましく、プロジェクタ１を持ち運ぶ者は、その重心Ｇの位置を考慮して、ハンドル１１，１２を把持する可能性が高い。このハンドル１１，１２を把持して筐体１０を持ち上げたときに、ダストボックス５の開口５ａが上方に向けられるように設けられている。よって、プロジェクタ１が、複数のハンドル１１，１２，１３，１４のうちハンドル１１，１２に比べてハンドル１３，１４の近くに重心Ｇを有する場合に比べて、ダストボックス５の開口５ａを上方に向けて筐体１０が持ち上げられる可能性を高めることができる。従って、プロジェクタ１が持ち運ばれるときに、ダストボックス５に溜めた塵埃がその開口５ａから流出しない可能性を高めることができる。
【０１１８】
（１１）プロジェクタ１は、光軸Ｌ３を中心として映像の光を投射する投射レンズ２９を備え、筐体１０は複数の側面１０ｃ，１０ｄを有し、側面１０ｄから側面１０ｃまでの距離を二等分する筐体１０の中心線Ｃに対して、ハンドル１１，１２側に光軸Ｌ３を偏心させて投射レンズ２９が設けられている。プロジェクタ１の重心Ｇが偏心していることを、筐体１０の中心線Ｃに対して光軸Ｌ３が偏心している投射レンズ２９により示すことで、ダストボックス５の開口５ａを上方に向けて筐体１０が持ち上げられる可能性をより高めることができる。
【０１１９】
（１２）図１５（ａ）に示すように、ダストボックス５が開口する方向に平行な方向（図１５中において上下方向）において、プロジェクタ１の重心Ｇとハンドル１１とが一直線上に位置する。このため、重心Ｇの直上にハンドル１１位置するように筐体１０を持ち上げることによって、ダストボックス５の開口５ａが上方に向けられる。
【０１２０】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせてもよい。
【０１２１】
・第２及び第３の実施形態において、ハンドル１３，１４の形状や配置を適宜変更してもよく、ハンドル１３，１４のうち１つは省かれていてもよい。従って、側面１０ｃには、１つのハンドルのみが設けられていてもよく、この場合には、側面１０ｃにおいて、左右方向に平行な方向においてプロジェクタ１の重心と一直線上となる位置に１つのハンドルが設けられていることが好ましい。
【０１２２】
・ハンドル１１，１２の形状や配置を適宜変更してもよく、ハンドル１１，１２のうち１つは省かれていてもよい。従って、側面１０ｄには、１つのハンドルのみが設けられていてもよく、この場合には、側面１０ｄにおいて、左右方向に平行な方向においてプロジェクタ１の重心と一直線上となる位置に１つのハンドルが設けられていることが好ましい。
【０１２３】
・上記実施形態においては、図中に上方を示す矢印が図示され、この上方を示す矢印に平行な方向に、筐体１０を持ち上げたときにダストボックス５の開口５ａが向けられたが、ダストボックス５に溜めた塵埃が開口５ａから流出することを抑制できるのであれば、上方とは図中の矢印で示す方向に限定されない。
【０１２４】
例えば、図１６に示すように、ハンドル１１の突出部１１ａが左右方向と角度をなすように突出して設けられていてもよく、このようなハンドル１１を把持して筐体１０を持ち上げたときには、図１７に示すように、ダストボックス５の開口５ａが、図中の矢印で示す上方に対して、斜めに向けられることになる。ダストボックス５の開口５ａが斜め上方に向けられても、上記実施形態において記載した効果を奏することができる。従って、本発明において「上方」とは水平方向に垂直な方向だけを意味せず、斜め上方も「上方」に含まれる。
【０１２５】
・プロジェクタ１及びエアフィルタ装置３の構成が左右方向において反転した構成であってもよい。また、プロジェクタ１及びエアフィルタ装置３の構成が前後方向において反転した構成であってもよい。従って、ダストボックス５が開口する方向は、左右方向における左方に限定されない。
【０１２６】
例えば、図１８に示すように、上記実施形態におけるエアフィルタ装置３において、掃除ユニット４を左右方向に反転させて配設された構成であってもよい。この場合には、ダストボックス５は右方に開口するため、側面１０ｃにハンドルが設けられていればよい。また、ダストボックス５が開口する方向は、左右方向に限定されるものでもない。
【０１２７】
・ハンドルは、側面１０ｃ，１０ｄに設けられるハンドル１１，１２，１３，１４に限定されない。即ち、「側面」とは筐体１０の外部に露出するあらゆる表面を意味し、上記実施形態における前面１０ａ、後面１０ｂ等も側面に相当し得る。従って、例えば、ダストボックス５が開口する方向が後方であれば、後面１０ｂにハンドルが設けられていればよい。
【０１２８】
・上記実施形態においては、移動するブラシ４５によりエアフィルタ３４が掃除される構成であったが、可動式のエアフィルタ（不図示）が移動することによってブラシで掃除される構成であってもよい。即ち、ブラシによってエアフィルタが掃除されるのであれば、ブラシは移動しなくてもよい。
【０１２９】
・本願発明は、４つの光源を備える投写型映像表示装置に限られず、１つの光源を備える投写型映像表示装置や、２つ以上の光源を備える投写型映像表示装置であってもよい。また、投写型映像表示装置は液晶プロジェクタに限られず、例えばＤＭＤ（Digital Micromirror Device）を用いて映像を表示する投写型映像表示装置であってもよい。
【符号の説明】
【０１３０】
１…プロジェクタ（投写型映像表示装置）、２…光学系、３…エアフィルタ装置、４…掃除ユニット、５…ダストボックス、５Ａ…内側ケース、５Ｂ…外側ケース、５ａ…開口、６…除塵体、１０…筐体、１０ａ…前面、１０ｂ…後面、１０ｃ，１０ｄ…側面、１０ｅ…底面、１０ｆ…外面、１１，１２…ハンドル（所定のハンドル）、１１ａ，１２ａ…突出部、１１ｂ，１２ｂ…把持部、１３，１４…ハンドル（他のハンドル）、１３ａ，１４ａ…突出部、１３ｂ，１４ｂ…把持部、２１ａ，２１ｂ，２１ｃ，２１ｄ…ランプ、２９…投射レンズ、３１…基材、３１ａ…開口、３１ｂ…突起、３２…静電フィルタ、３３…ウレタンフィルタ、３４…エアフィルタ、３４Ａ…枠部材、３５…第１のラック、３６…第２のラック、３７…コネクタ、３８…パネル、４１…ケース、４１ａ…モータ収容部、４１ｂ…回転軸収容部、４１ｃ…動力伝達機構収容部、４２…電動モータ、４２Ａ…モータカバー、４２Ｂ…プリント配線板、４２ａ…出力軸、４２ｂ…かさ歯車、４３…回転軸、４３Ａ…第１のピニオン、４３Ｂ…第２のピニオン、４３ａ…かさ歯車、４３ｂ…平歯車、４４…動力伝達機構、４５…ブラシ、４５ａ…軸部材、４５ｂ…繊維、４６，４７…カバー、４８，４９…樹脂部材、５１…内側壁部、５１ａ…隔壁、５１ｂ…移動規制片、５１ｃ…突部、５１ｄ…突出部、５２…右側壁部、５３…前側壁部、５４…後側壁部、５５…軸部、５６…外側壁部、５７…ブラシカバー部、５７ａ…隔壁、５７ｂ…係止片、５８…軸支持部、５９…取付部、６１…貫通孔。
【図１】
2011257550.tif 000003
【図２】
2011257550.tif 000004
【図３】
2011257550.tif 000005
【図４】
2011257550.tif 000006
【図５】
2011257550.tif 000007
【図６】
2011257550.tif 000008
【図７】
2011257550.tif 000009
【図８】
2011257550.tif 000010
【図９】
2011257550.tif 000011
【図１０】
2011257550.tif 000012
【図１１】
2011257550.tif 000013
【図１２】
2011257550.tif 000014
【図１３】
2011257550.tif 000015
【図１４】
2011257550.tif 000016
【図１５】
2011257550.tif 000017
【図１６】
2011257550.tif 000018
【図１７】
2011257550.tif 000019
【図１８】
2011257550.tif 000020